【手続補正書】
【提出日】平成17年3月9日(2005.3.9)
【手続補正１】
【補正対象書類名】明細書
【補正対象項目名】特許請求の範囲
【補正方法】変更
【補正の内容】
【特許請求の範囲】
【請求項１】
複数の異なる吐水形態に吐水を切り替えられる吐水形態切替ユニットを備えたシャワーヘッドであって、
前記吐水形態切替ユニットには、シャワーヘッドのヘッド部に対して固定される回転軸とこの回転軸に係止される流路切替板と、シャワーヘッドに対して回転自在に設けられる吐水切替操作部とこの吐水切替操作部と連動して回転する流路切替機構部とから少なくとも構成されており、
前記流路切替板と前記流路切替機構部との内周部と外周部に通水穴をそれぞれ形成し、前記吐水切替操作部を回転させることで、固定された前記流路切替板の内周部の通水穴と前記流路切替機構部の内周部の通水穴とを連通させるか、もしくは、固定された前記流路切替板の外周部の通水穴と前記流路切替機構部の外周部の通水穴とを連通させて吐水を切り替えてなり、
前記回転軸と前記流路切替板との間には、ばねを設け、このばねの弾性力によって、前記流路切替板を前記流路切替機構部に押し当ててなるとともに、前記シャワーヘッドのヘッド部に対して前記吐水形態切替ユニットが離れる方向にばねの弾性力が付勢していることを特徴とするシャワーヘッド。
【請求項２】
前記吐水形態の１つに旋回したノズルから吐水される吐水形態を有し、この吐水形態を生成するためのノズルユニットを前記流路切替機構部の下流に配置してなり、
このノズルユニットは、湯水が流入する流入室と、流入室内に流入した湯水を吐水するノズルとで構成されており、さらに前記流入室内に流入した湯水が前記流入室内の内周壁面に沿って旋回流を起こすように前記流入室に流入口を形成し、
かつ、前記ノズルは、ノズル本体とノズル本体よりも小径の先端部とを有し、
この先端部を前記流入室の開口部から外部に臨ませるとともに、ノズルの前記先端部が、前記シャワーヘッド外面より出ないように形成し、さらに前記ノズル本体を前記流入室のノズル支持部にて支持し、旋回流により前記ノズルが旋回しながら吐水することを特徴とする請求項１ に記載のシャワーヘッド。
【手続補正２】
【補正対象書類名】明細書
【補正対象項目名】０００６
【補正方法】変更
【補正の内容】
【０００６】
【課題を解決するための手段】
本発明の請求項１では、複数の異なる吐水形態に吐水を切り替えられる吐水形態切替ユニットを備えたシャワーヘッドであって、
前記吐水形態切替ユニットには、シャワーヘッドのヘッド部に対して固定される回転軸とこの回転軸に係止される流路切替板と、シャワーヘッドに対して回転自在に設けられる吐水切替操作部とこの吐水切替操作部と連動して回転する流路切替機構部とから少なくとも構成されており、
前記流路切替板と前記流路切替機構部との内周部と外周部に通水穴をそれぞれ形成し、前記吐水切替操作部を回転させることで、固定された前記流路切替板の内周部の通水穴と前記流路切替機構部の内周部の通水穴とを連通させるか、もしくは、固定された前記流路切替板の外周部の通水穴と前記流路切替機構部の外周部の通水穴とを連通させて吐水を切り替えてなり、
前記回転軸と前記流路切替板との間には、ばねを設け、このばねの弾性力によって、前記流路切替板を前記流路切替機構部に押し当ててなるとともに、前記シャワーヘッドのヘッド部に対して前記吐水形態切替ユニットが離れる方向にばねの弾性力が付勢していることを特徴とするシャワーヘッドとした。
【手続補正３】
【補正対象書類名】明細書
【補正対象項目名】０００８
【補正方法】変更
【補正の内容】
【０００８】
本発明の請求項２では、前記吐水形態の１つに旋回したノズルから吐水される吐水形態を有し、この吐水形態を生成するためのノズルユニットを前記流路切替機構部の下流に配置してなり、
このノズルユニットは、湯水が流入する流入室と、流入室内に流入した湯水を吐水するノズルとで構成されており、さらに前記流入室内に流入した湯水が前記流入室内の内周壁面に沿って旋回流を起こすように前記流入室に流入口を形成し、
かつ、前記ノズルは、ノズル本体とノズル本体よりも小径の先端部とを有し、
この先端部を前記流入室の開口部から外部に臨ませるとともに、ノズルの前記先端部が、前記シャワーヘッド外面より出ないように形成し、さらに前記ノズル本体を前記流入室のノズル支持部にて支持し、旋回流により前記ノズルが旋回しながら吐水することを特徴とする請求項１ に記載のシャワーヘッドとした。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００２５
【補正方法】変更
【補正の内容】
【００２５】
そして、この流路切替板６を嵌装した回転軸３を吐水切替操作部４に組み付ける。具体的には、吐水切替操作部４の開口４Ｃへ回転軸３に形成された雄ねじ部３ｅを突設するように組み込む。
なお、言うまでもないが、回転軸３を吐水切替操作部４に組み付けた後、流路切替板６を回転軸３に組み付けてもよい。
【手続補正９】
【補正対象書類名】明細書
【補正対象項目名】００２９
【補正方法】変更
【補正の内容】
【００２９】
では、吐水切替による通水穴の重なり合い状態を図６に基づき具体的に説明する。
図６（Ａ）は、ノズルユニット２Ａに通水してノズル９を旋回させて旋回シャワーを得る場合の通水穴の重なり合いを示す。つまり、流路切替板６の通水穴１６ａと流路切替機構部７の通水穴１７ａとが重なり合い、流路切替板６の通水穴１６ｂと流路切替機構部７の通水穴１７ｂとが重なり合っていない状態である。
図６（ｂ）は、散水板５の散水孔５ａから通常シャワーを得る場合の通水穴の重なり合いを示す。つまり、流路切替板６の通水穴１６ｂと流路切替機構部７の通水穴１７Ｂ とが重なり合い、流路切替板６の通水穴１６ａと流路切替機構部７の通水穴１７ａとが重なり合っていない状態である。
さらに、図６（ｃ）は、図６（ａ）と（ｂ）の切替途中を示す。切替途中に止水状態を形成してしまうと、シャワーホースおよびシャワーヘッド内に静水圧（水道管の給水圧） が掛かってしまい、高い水圧を部材が受けてしまう。そのため、止水状態を形成しないように、１つの通水穴１６ｂを長穴にして、切替途中において、両方の通水穴から通水されるようにしているのである。
なお、吐水切替時の回転範囲を規制するための回転規制手段は、吐水切替操作部４に形成した凹部４ａと回転軸３に形成した凸部３ａにより形成される。
つまり、図７ に示すように、回転軸３に形成した凸部３ａが回転する吐水切替操作部４ の内側に形成した凹部４ａの端部に当たることで、その回転する範囲を規制している。そして、凹部４ａの一端部に凸部３ａが当接したときに通常のシャワーに切り替わり、また、他端部に凸部３ａが当接したときにノズル９からの旋回シャワーに切り替わるのである。
【手続補正１０】
【補正対象書類名】明細書
【補正対象項目名】図７
【補正方法】変更
【補正の内容】
【図７】吐水切替操作部と回転軸とにより形成した吐水切替時の回転規制手段を示す。